(57)【要約】【課題】デジタル放送に含まれる１セグメント放送（携帯端末向け放送）のコンテンツと１２セグメント放送（ＨＤＴＶ）のコンテンツを同時に記録し、１セグメント放送のコンテンツ及びその管理情報を携帯端末にムーブ可能とする。【解決手段】記録再生装置１０は、１２セグコンテンツ及び該１２セグコンテンツと同じ内容で変調方式が異なる１セグコンテンツを含むデジタル放送信号を受信する受信部１１、該デジタル放送信号から１２セグコンテンツと１セグコンテンツを分離抽出するセグメント分離部１２、１２セグコンテンツと１セグコンテンツを記録すると共に該１２セグコンテンツと１セグコンテンツそれぞれの管理情報を関連付けて記録する記録部１３、コンテンツを再生可能な携帯端末２０を着脱可能に接続する入出力Ｉ／Ｆ１４を備える。記録再生装置１０は、入出力Ｉ／Ｆ１４に接続された携帯端末２０に、１セグコンテンツ及びその管理情報をムーブする。【選択図】図２
2007251803.tif 000002
【特許請求の範囲】
【請求項１】
コンテンツを再生可能な携帯端末装置を着脱可能に接続する記録再生装置において、第１のコンテンツ及び該第１のコンテンツと同じ内容で変調方式が異なる第２のコンテンツを含むデジタル放送信号を受信する受信手段と、該受信したデジタル放送信号から第１のコンテンツと第２のコンテンツを分離抽出する手段と、該第１のコンテンツと第２のコンテンツを記録すると共に該第１のコンテンツと第２のコンテンツそれぞれの管理情報を関連付けて記録する記録手段とを備え、前記第２のコンテンツ及びその管理情報を前記携帯端末装置にムーブ可能としたことを特徴とする記録再生装置。
【請求項２】
請求項１に記載の記録再生装置において、管理情報に基づいて第１のコンテンツの再生処理あるいは編集処理を制御する制御手段を備え、該制御手段は、前記第２のコンテンツを前記携帯端末装置にムーブする前に前記第１のコンテンツが再生停止あるいは編集された場合、前記第１のコンテンツと前記第２のコンテンツ間で関連付けられた管理情報を同時に更新可能としたことを特徴とする記録再生装置。
【請求項３】
請求項２に記載の記録再生装置において、前記制御手段は、前記記録再生装置から第２のコンテンツ及びその管理情報がムーブされた前記携帯端末装置が接続されたときに、前記携帯端末装置から前記第２のコンテンツの管理情報を取得し、該取得した管理情報によって前記第１のコンテンツの管理情報を更新可能としたことを特徴とする記録再生装置。
【請求項４】
請求項２に記載の記録再生装置において、前記制御手段は、前記記録再生装置から第２のコンテンツ及びその管理情報がムーブされた前記携帯端末装置が接続されたときに、前記携帯端末装置に前記第１のコンテンツの管理情報を送信することにより、前記携帯端末装置に記録されている前記第２のコンテンツの管理情報を更新可能としたことを特徴とする記録再生装置。
【請求項５】
請求項３又は４に記載の記録再生装置において、前記管理情報は、コンテンツの再生停止位置を示すレジューム情報、コンテンツをチャプタ分割した位置を示すチャプタ情報の１つ以上を含むことを特徴とする記録再生装置。
【請求項６】
請求項１乃至５のいずれか１に記載の記録再生装置において、電子番組表を取得する手段を備え、前記携帯端末装置が接続されたときに、前記取得した電子番組表を前記携帯端末装置に送信することを特徴とする記録再生装置。
【請求項７】
請求項６に記載の記録再生装置において、前記制御手段は、前記携帯端末装置が接続されたときに、前記携帯端末装置から前記電子番組表に基づく予約情報を取得し、該取得した予約情報に従ってコンテンツの録画予約あるいは視聴予約を行うことを特徴とする記録再生装置。
【請求項８】
請求項２に記載の記録再生装置において、前記制御手段は、前記記録再生装置から第２のコンテンツ及びその管理情報がムーブされた前記携帯端末装置が接続されたときに、前記記録再生装置が新たに取得した第２のコンテンツを前記記録手段から抽出し、該抽出した第２のコンテンツ及びその管理情報を前記携帯端末装置にムーブすることにより、前記携帯端末装置に記録されている視聴済みの第２のコンテンツを更新することを特徴とする記録再生装置。
【請求項９】
請求項８に記載の記録再生装置において、前記携帯端末装置にムーブされる第２のコンテンツは、所定の条件に合致したコンテンツであることを特徴とする記録再生装置。
【請求項１０】
請求項２に記載の記録再生装置において、前記制御手段は、前記記録再生装置から第２のコンテンツ及びその管理情報がムーブされた前記携帯端末装置が接続されたときに、ユーザ指定された第２のコンテンツを前記記録手段から抽出し、該抽出した第２のコンテンツ及びその管理情報を前記携帯端末装置にムーブすることにより、前記携帯端末装置に記録されている視聴済みの第２のコンテンツを更新することを特徴とする記録再生装置。
【請求項１１】
請求項１乃至１０のいずれか１に記載の記録再生装置において、前記デジタル放送信号は、地上波デジタル放送で提供される１３セグメント放送信号であって、該１３セグメントのうちの１２セグメントが前記第１のコンテンツに割り当てられ、１セグメントが前記第２のコンテンツに割り当てられていることを特徴とする記録再生装置。
【請求項１２】
請求項１乃至１１のいずれか１に記載の記録再生装置と着脱可能に接続される携帯端末装置であって、前記記録再生装置からムーブされた第２のコンテンツ及びその管理情報を記録する手段と、該記録した第２のコンテンツをその管理情報に従って再生する手段とを備えていることを特徴とする携帯端末装置。
【請求項１３】
請求項１乃至１１のいずれか１に記載の記録再生装置と、該記録再生装置と着脱可能に接続される携帯端末装置とを備えた記録再生システム。
【請求項１４】
コンテンツを再生可能な携帯端末装置を着脱可能に接続する記録再生装置による記録再生方法において、第１のコンテンツ及び該第１のコンテンツと同じ内容で変調方式が異なる第２のコンテンツを含むデジタル放送信号を受信するステップと、該受信したデジタル放送信号から第１のコンテンツと第２のコンテンツを分離抽出するステップと、該第１のコンテンツと第２のコンテンツを記録すると共に該第１のコンテンツと第２のコンテンツそれぞれの管理情報を関連付けて記録するステップと、前記第２のコンテンツ及びその管理情報を前記携帯端末装置にムーブするステップとを有することを特徴とする記録再生方法。
【請求項１５】
請求項１４に記載の記録再生方法において、前記第２のコンテンツを前記携帯端末装置にムーブする前に前記第１のコンテンツが再生停止あるいは編集された場合、前記第１のコンテンツと前記第２のコンテンツ間で関連付けられた管理情報を同時に更新することを特徴とする記録再生方法。
【請求項１６】
請求項１５に記載の記録再生方法において、前記記録再生装置から第２のコンテンツ及びその管理情報がムーブされた前記携帯端末装置が接続されたときに、前記携帯端末装置から前記第２のコンテンツの管理情報を取得し、該取得した管理情報によって前記第１のコンテンツの管理情報を更新することを特徴とする記録再生方法。
【請求項１７】
請求項１５に記載の記録再生方法において、前記記録再生装置から第２のコンテンツ及びその管理情報がムーブされた前記携帯端末装置が接続されたときに、前記携帯端末装置に前記第１のコンテンツの管理情報を送信し、前記携帯端末装置に記録されている前記第２のコンテンツの管理情報を更新することを特徴とする記録再生方法。
【請求項１８】
請求項１６又は１７に記載の記録再生方法において、前記管理情報は、コンテンツの再生停止位置を示すレジューム情報、コンテンツをチャプタ分割した位置を示すチャプタ情報の１つ以上を含むことを特徴とする記録再生方法。
【請求項１９】
請求項１４乃至１８のいずれか１に記載の記録再生方法において、電子番組表を取得するステップと、該取得した電子番組表を前記携帯端末装置に送信するステップと、前記携帯端末装置から前記電子番組表に基づく予約情報を取得するステップと、該取得した予約情報に従ってコンテンツの録画予約あるいは視聴予約を行うステップとを有することを特徴とする記録再生方法。
【発明の詳細な説明】
【技術分野】
【０００１】
本発明は、記録再生装置、携帯端末装置、記録再生システム、及び記録再生方法、より詳細には、地上波デジタル放送に含まれる１セグメント放送（携帯端末向け放送）と１２セグメント放送（ハイビジョン放送など）を同時に記録可能な記録再生装置、携帯端末装置、記録再生システム、及び記録再生方法に関する。
【背景技術】
【０００２】
ＩＳＤＢ−Ｔ（Ｉｎｔｅｇｒａｔｉｏｎ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）方式は、日本国内における地上波デジタル放送の規格として知られている（例えば、特許文献１参照）。このＩＳＤＢ−Ｔ方式の最大の特徴は、１事業者に割り当てられる約６ＭＨｚの周波数帯域（１チャンネル）内に、「セグメント」と呼ばれる伝送単位を１３個多重化した点である。放送事業者は、１３個のセグメントを利用して、家庭にあるテレビ向けの放送（ハイビジョン放送、標準放送）と、携帯端末向けの放送とをサイマルキャストする。このサイマルキャストとは、ＳｉｍｕｌｔａｎｅｏｕｓとＢｒｏａｄｃａｓｔの合成語で、サイマル放送とも呼ばれ、“同時同内容”の放送のことをいう。
【０００３】
上記ＩＳＤＢ−Ｔ方式において、携帯端末向けのノイズやマルチパスに強い変調方式と、家庭の固定テレビ向けのノイズ等に比較的弱い変調方式をセグメントに分けた上で多重化して放送することが可能となっている。通常、ノイズやマルチパスへの耐性は伝送するビットレートとのトレードオフの関係になっている。放送される内容は、画質により、前者の変調方式が携帯端末向け（簡易動画放送）、後者の変調方式が固定テレビ向け（ＨＤＴＶ放送）に分類されている。
【０００４】
図１３は、特許文献１に記載の地上波デジタル放送サービスの概要を説明するための図で、図中、３００は１チャンネル分の地上波デジタル放送信号、３０１は放送事業者の地上波デジタル放送用送信アンテナ、３０２は家庭等に設置されているテレビジョン放送受信装置、３０３はＰＤＡ（Ｐｅｒｓｏｎａｌ  Ｄｉｇｉｔａｌ  Ａｓｓｉｓｔａｎｔ）や携帯電話機などの携帯端末を示す。地上波デジタル放送用送信アンテナ３０１から送信される地上波デジタル放送信号には、Ｔ１〜Ｔ１３までの１３個のセグメントが含まれる。放送事業者は、例えば、１２セグメント（Ｔ１〜Ｔ６、Ｔ８〜Ｔ１３）でテレビジョン放送受信装置３０２向けのハイビジョン放送あるいは標準放送を送信し、残りの１セグメント（Ｔ７）で携帯端末３０３向けの放送を送信する。
【０００５】
上記において、携帯端末３０３向けの放送は、「１セグメント放送」といい、テレビジョン放送受信装置３０２向けの放送と比較して、フレーム数、フレームサイズを小さくし、低ビットレートでの伝送を行うようにしている。一方、テレビジョン放送受信装置３０２向けの放送には、例えば、４セグメントを使う通常画質（ＳＤＴＶ）の標準放送を３本、１２セグメントを使う高画質（ＨＤＴＶ）のハイビジョン放送を１本、９セグメントを使うハイビジョン放送１本と３セグメントを使う標準放送１本、などの各種のパターンが存在し、これらを総称して「１２セグメント放送」という。
【０００６】
「１セグメント放送」と「１２セグメント放送」では、変調方式の異なる同じ番組が放送されており、視聴者は、同じ内容の放送番組を、テレビジョン放送受信装置３０２で１２セグメント放送として視聴したり、携帯端末３０３で１セグメント放送として視聴することができる。
【特許文献１】特開２００５−２０３４０号公報
【発明の開示】
【発明が解決しようとする課題】
【０００７】
上述したような地上波デジタル放送の利用形態において、携帯端末は、１セグメント放送を受信、再生するための機能を備える必要があるが、既存の携帯端末の中には、デジタル放送の受信機能を持たない再生専用端末が存在する。このような再生専用の携帯端末でデジタル放送で提供される番組（コンテンツ）を視聴しようとした場合、記録再生装置側でコンテンツの録画を行う必要がある。
【０００８】
しかしながら、記録再生装置側には１セグメント放送を受信するチューナ機能を備えていないため、１２セグメント放送用のチューナで受信、録画したコンテンツを携帯端末にコピーあるいはムーブしなくてはならないという問題がある。
【０００９】
通常、デジタル放送には、コピーワンス制限がかけられていて、記録再生装置で録画したコンテンツを携帯端末で視聴するために、記録再生装置のコンテンツを携帯端末にムーブすると、記録再生装置のコンテンツは消去しなければならない。この際、携帯端末の解像度が低かったり、ＨＤＤの容量が少なかったりして、ＭＰＥＧ−２からＭＰＥＧ−４へダウンコンバートする必要がある場合も、記録再生装置上のコンテンツファイルは消去されなければならず、再度、携帯端末から記録再生装置にコンテンツをムーブしたとしても、高精細な映像は失われてしまう。
【００１０】
また、デジタル放送の受信機能を備えた携帯端末で１セグメント放送を受信，録画し、同じ内容の１２セグメント放送を記録再生装置で受信，録画した場合、両者の番組は同じ内容でありながら別々の機器で録画されているため、互いに連携がとれていない。従って、例えば、番組の途中まで携帯端末で視聴していて、その続きを記録再生装置に接続されたテレビで視聴する場合、テレビ側では、番組（１２セグメント放送）の最初から再度再生する、あるいは、該当箇所まで巻き戻し（または早送り）を行い再生する、など面倒な作業を行う必要があった。
【００１１】
本発明は、上述のごとき実情に鑑みてなされたものであり、デジタル放送の受信機能を備えた記録再生装置において、デジタル放送に含まれる１セグメント放送（携帯端末向け放送）のコンテンツと１２セグメント放送（ハイビジョン放送など）のコンテンツを同時に記録し、１セグメント放送のコンテンツ及びその管理情報を携帯端末にムーブできるようにすること、
また、記録再生装置に記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を可能とすること、を目的とする。
【課題を解決するための手段】
【００１２】
上記課題を解決するために、本発明の第１の技術手段は、コンテンツを再生可能な携帯端末装置を着脱可能に接続する記録再生装置において、第１のコンテンツ及び該第１のコンテンツと同じ内容で変調方式が異なる第２のコンテンツを含むデジタル放送信号を受信する受信手段と、該受信したデジタル放送信号から第１のコンテンツと第２のコンテンツを分離抽出する手段と、該第１のコンテンツと第２のコンテンツを記録すると共に該第１のコンテンツと第２のコンテンツそれぞれの管理情報を関連付けて記録する記録手段とを備え、前記第２のコンテンツ及びその管理情報を前記携帯端末装置にムーブ可能としたことを特徴としたものである。
【００１３】
第２の技術手段は、第１の技術手段において、管理情報に基づいて第１のコンテンツの再生処理あるいは編集処理を制御する制御手段を備え、該制御手段は、前記第２のコンテンツを前記携帯端末装置にムーブする前に前記第１のコンテンツが再生停止あるいは編集された場合、前記第１のコンテンツと前記第２のコンテンツ間で関連付けられた管理情報を同時に更新可能としたことを特徴としたものである。
【００１４】
第３の技術手段は、第２の技術手段において、前記制御手段は、前記記録再生装置から第２のコンテンツ及びその管理情報がムーブされた前記携帯端末装置が接続されたときに、前記携帯端末装置から前記第２のコンテンツの管理情報を取得し、該取得した管理情報によって前記第１のコンテンツの管理情報を更新可能としたことを特徴としたものである。
【００１５】
第４の技術手段は、第２の技術手段において、前記制御手段は、前記記録再生装置から第２のコンテンツ及びその管理情報がムーブされた前記携帯端末装置が接続されたときに、前記携帯端末装置に前記第１のコンテンツの管理情報を送信することにより、前記携帯端末装置に記録されている前記第２のコンテンツの管理情報を更新可能としたことを特徴としたものである。
【００１６】
第５の技術手段は、第３又は第４の技術手段において、前記管理情報は、コンテンツの再生停止位置を示すレジューム情報、コンテンツをチャプタ分割した位置を示すチャプタ情報の１つ以上を含むことを特徴としたものである。
【００１７】
第６の技術手段は、第１乃至第５のいずれか１の技術手段において、電子番組表を取得する手段を備え、前記携帯端末装置が接続されたときに、前記取得した電子番組表を前記携帯端末装置に送信することを特徴としたものである。
【００１８】
第７の技術手段は、第６の技術手段において、前記制御手段は、前記携帯端末装置が接続されたときに、前記携帯端末装置から前記電子番組表に基づく予約情報を取得し、該取得した予約情報に従ってコンテンツの録画予約あるいは視聴予約を行うことを特徴としたものである。
【００１９】
第８の技術手段は、第２の技術手段において、前記制御手段は、前記記録再生装置から第２のコンテンツ及びその管理情報がムーブされた前記携帯端末装置が接続されたときに、前記記録再生装置が新たに取得した第２のコンテンツを前記記録手段から抽出し、該抽出した第２のコンテンツ及びその管理情報を前記携帯端末装置にムーブすることにより、前記携帯端末装置に記録されている視聴済みの第２のコンテンツを更新することを特徴としたものである。
【００２０】
第９の技術手段は、第８の技術手段において、前記携帯端末装置にムーブされる第２のコンテンツは、所定の条件に合致したコンテンツであることを特徴としたものである。
【００２１】
第１０の技術手段は、第２の技術手段において、前記制御手段は、前記記録再生装置から第２のコンテンツ及びその管理情報がムーブされた前記携帯端末装置が接続されたときに、ユーザ指定された第２のコンテンツを前記記録手段から抽出し、該抽出した第２のコンテンツ及びその管理情報を前記携帯端末装置にムーブすることにより、前記携帯端末装置に記録されている視聴済みの第２のコンテンツを更新することを特徴としたものである。
【００２２】
第１１の技術手段は、第１乃至第１０のいずれか１の技術手段において、前記デジタル放送信号は、地上波デジタル放送で提供される１３セグメント放送信号であって、該１３セグメントのうちの１２セグメントが前記第１のコンテンツに割り当てられ、１セグメントが前記第２のコンテンツに割り当てられていることを特徴としたものである。
【００２３】
第１２の技術手段は、第１乃至第１１のいずれか１の技術手段における記録再生装置と着脱可能に接続される携帯端末装置であって、前記記録再生装置からムーブされた第２のコンテンツ及びその管理情報を記録する手段と、該記録した第２のコンテンツをその管理情報に従って再生する手段とを備えていることを特徴としたものである。
【００２４】
第１３の技術手段は、第１乃至第１１のいずれか１の技術手段における記録再生装置と、該記録再生装置と着脱可能に接続される携帯端末装置とを備えた記録再生システムを特徴としたものである。
【００２５】
第１４の技術手段は、コンテンツを再生可能な携帯端末装置を着脱可能に接続する記録再生装置による記録再生方法において、第１のコンテンツ及び該第１のコンテンツと同じ内容で変調方式が異なる第２のコンテンツを含むデジタル放送信号を受信するステップと、該受信したデジタル放送信号から第１のコンテンツと第２のコンテンツを分離抽出するステップと、該第１のコンテンツと第２のコンテンツを記録すると共に該第１のコンテンツと第２のコンテンツそれぞれの管理情報を関連付けて記録するステップと、前記第２のコンテンツ及びその管理情報を前記携帯端末装置にムーブするステップとを有することを特徴としたものである。
【００２６】
第１５の技術手段は、第１４の技術手段において、前記第２のコンテンツを前記携帯端末装置にムーブする前に前記第１のコンテンツが再生停止あるいは編集された場合、前記第１のコンテンツと前記第２のコンテンツ間で関連付けられた管理情報を同時に更新することを特徴としたものである。
【００２７】
第１６の技術手段は、第１５の技術手段において、前記記録再生装置から第２のコンテンツ及びその管理情報がムーブされた前記携帯端末装置が接続されたときに、前記携帯端末装置から前記第２のコンテンツの管理情報を取得し、該取得した管理情報によって前記第１のコンテンツの管理情報を更新することを特徴としたものである。
【００２８】
第１７の技術手段は、第１５の技術手段において、前記記録再生装置から第２のコンテンツ及びその管理情報がムーブされた前記携帯端末装置が接続されたときに、前記携帯端末装置に前記第１のコンテンツの管理情報を送信し、前記携帯端末装置に記録されている前記第２のコンテンツの管理情報を更新することを特徴としたものである。
【００２９】
第１８の技術手段は、第１６又は第１７のいずれか１の技術手段において、前記管理情報は、コンテンツの再生停止位置を示すレジューム情報、コンテンツをチャプタ分割した位置を示すチャプタ情報の１つ以上を含むことを特徴としたものである。
【００３０】
第１９の技術手段は、第１４乃至第１８のいずれか１の技術手段において、電子番組表を取得するステップと、該取得した電子番組表を前記携帯端末装置に送信するステップと、前記携帯端末装置から前記電子番組表に基づく予約情報を取得するステップと、該取得した予約情報に従ってコンテンツの録画予約あるいは視聴予約を行うステップとを有することを特徴としたものである。
【発明の効果】
【００３１】
本発明によれば、デジタル放送の受信機能を備えた記録再生装置において、デジタル放送に含まれる１セグメント放送（携帯端末向け放送）のコンテンツと１２セグメント放送（ハイビジョン放送など）のコンテンツを同時に記録し、１セグメント放送のコンテンツ及びその管理情報を携帯端末にムーブできるため、コピーワンスの制限に係らず、記録再生装置上にコンテンツを残したまま携帯端末で同じコンテンツを視聴することができる。また、トランスコードする必要がないため短時間でコンテンツを転送することができる。
また、記録再生装置に記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を実現できる。例えば、番組の途中まで携帯端末で視聴していて、その続きを記録再生装置に接続されたテレビで視聴する場合、テレビ（記録再生装置）側では、携帯端末で視聴を止めたところから頭出し再生することができる。
【発明を実施するための最良の形態】
【００３２】
図１は、本発明の一実施形態に係わる記録再生システムの構成例を示す図で、記録再生システムは、地上波デジタル放送の受信機能を備えた記録再生装置１０と、コンテンツ再生機能を備えた携帯端末２０と、携帯端末２０を着脱可能に装着するための専用スタンド３０とから構成されている。記録再生装置１０は、専用スタンド３０とケーブル１を介して接続され、携帯端末２０が専用スタンド３０に装着されると、携帯端末２０との間で通信可能となる。なお、記録再生装置１０と専用スタンド３０との接続はケーブル１のような有線に限らず、無線を介して接続するようにしてもよい。
【００３３】
図１において、記録再生装置１０は、図示しないテレビジョン放送受信装置と接続可能なハードディスクレコーダ、ＤＶＤレコーダ、ハードディスク一体型ＤＶＤレコーダ、あるいは、テレビジョン放送受信装置と一体化されたレコーダ、あるいは、テレビジョン放送受信機能及び録画再生機能を備えたパーソナルコンピュータなどであってもよい。また、携帯端末２０は、バッテリ駆動可能なポータブル再生機器であって、例えば、携帯電話機、ＰＤＡ、録画再生機能を備えた端末、再生専用端末などを対象とする。
【００３４】
図２は、図１に示した記録再生装置１０の内部構成例を示すブロック図で、記録再生装置１０は、受信部１１、セグメント分離部１２、記録部１３、入出力インタフェース（入出力Ｉ／Ｆ）１４、制御部１５、デコード部１６、入力部１７、及び出力部１８を備えている。記録再生装置１０は、出力部１８を介してテレビジョン放送受信装置（以下、ＴＶ）４０と接続され、また、入出力Ｉ／Ｆ１４を介して携帯端末２０と接続される。なお、図１に示した専用スタンド３０の記載は省略している。
【００３５】
記録再生装置１０の録画処理における動作例について説明する。受信部１１は、図示しないアンテナを介して、ＩＳＤＢ−Ｔ方式の地上波デジタル放送信号を受信するためのチューナであって、地上波デジタル放送信号の全ての受信可能チャンネル毎の同調回路を備えている。ユーザは、リモコン操作や本体ボタン操作などにより、所望の受信チャンネル（地上波デジタル放送）を録画するための制御信号を入力部１７に入力すると、その制御信号は制御部１５に送られる。制御部１５は、入力部１７からの制御信号に従って、セグメント分離部１２を制御してコンテンツの録画を行う。
【００３６】
セグメント分離部１２は、受信部１１で受信した地上波デジタル放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に対応した方式で復調し、復調後の放送信号にＦＦＴ（高速フーリエ変換）を施して１３個のセグメントを抽出し、さらに、その１３個のセグメントから１２セグメントの放送信号（以下、１２セグ放送信号）と、１セグメントの放送信号（以下、１セグ放送信号）を分離する。さらに、セグメント分離部１２は、上記分離した１２セグ放送信号をＱＡＭ復調し、１セグ放送信号をＱＰＳＫ復調した後、１２セグコンテンツ（本発明の第１のコンテンツに相当）、１セグコンテンツ（本発明の第２のコンテンツに相当）として別々に記録部１３に出力する。
【００３７】
なお、セグメント分離部１２は、１３個のセグメントから分離した１２セグコンテンツを録画せずにそのままＴＶ４０で視聴する場合には、記録部１３ではなく、デコード部１６に出力する。
【００３８】
記録部１３は、ハードディスク、光ディスク（ＤＶＤなど）、メモリカードなどの内蔵あるいは外部接続可能な記録媒体であって、１セグコンテンツを録画するための記録領域１３１と、１２セグコンテンツを録画するための記録領域１３２とから構成される。記録領域１３１には１セグコンテンツ１３１ａとその管理情報１３１ｂが記録され、記録領域１３２には１２セグコンテンツ１３２ａとその管理情報１３２ｂが記録される。なお、管理情報１３１ｂ及び管理情報１３２ｂの詳細については後述の図４で説明する。
【００３９】
ここで、地上波デジタル放送の場合、ＤＱＰＳＫ，ＱＰＳＫ，１６ＱＡＭ，６４ＱＡＭの４つの変調方式が選択可能であるが、本放送における変調方式は、１セグメント放送信号にＱＰＳＫ（４位相偏移変調）、１２セグメント放送信号に６４ＱＡＭ（直交振幅変調）が主に用いられるものとされている。さらに、ＩＳＤＢ−Ｔ方式では、１セグメント放送信号がＭＰＥＧ−４（またはＨ．２６４）、１２セグメント放送信号がＭＰＥＧ−２で圧縮されるため、本例における１２セグコンテンツ１３２ａはＭＰＥＧ−２形式で圧縮され、１セグコンテンツ１３１ａはＭＰＥＧ−４形式で圧縮されているものとする。
【００４０】
記録部１３に記録された１２セグコンテンツ１３２ａを再生する場合、制御部１５からの制御に従って、デコード部１６が１２セグコンテンツ１３２ａをＭＰＥＧ−２形式に合った復号方式で復号する。この結果、１２セグコンテンツ１３２ａをベースバンド信号（元の映像信号と音声信号）に復元し、これらの映像信号と音声信号を出力部１８からＴＶ４０に出力する。なお、１２セグコンテンツ１３２ａを再生する際に、制御部１５により管理情報１３２ｂに含まれるレジューム情報やチャプタ情報などが参照され、この管理情報１３２ｂに従って１２セグコンテンツ１３２ａが再生される。
【００４１】
一方、記録再生装置１０は、入出力Ｉ／Ｆ１４を介して携帯端末２０と接続され、携帯端末２０からコンテンツのムーブ要求があると、記録部１３に記録された１セグコンテンツ１３１ａ及びその管理情報１３１ｂを、入出力Ｉ／Ｆ１４を介して携帯端末２０にムーブする。これにより、ユーザは外出時に携帯端末２０を持ち出して外出先において、１２セグコンテンツ１３２ａと同じ内容の１セグコンテンツ１３１ａを視聴することが可能となる。
【００４２】
このように、記録再生装置１０において、携帯端末２０向けの１セグコンテンツ１３１ａを同時に録画できるようにすることで、同じ内容のコンテンツ（１２セグコンテンツ１３２ａ）を記録再生装置１０に残したまま、携帯端末２０においてもコンテンツを視聴することができる。この際、コンテンツをトランスコードする必要がないため、携帯端末２０へ短時間で転送することができ、また、コンテンツのコピーワンス制限に係らず、同じ内容のコンテンツを記録再生装置と携帯端末の両方に記録することができる。
【００４３】
記録再生装置１０の編集処理における動作例について、チャプタ分割処理を代表例として説明する。ユーザは、リモコン操作や本体ボタン操作などにより、入力部１７にチャプタ分割の制御信号を入力する。その制御信号は制御部１５に送られ、制御部１５は記録部１３にチャプタ分割指示を行う。記録部１３は再生中の１２セグコンテンツ１３２ａの管理情報１３２ｂにチャプタ情報を追加あるいは更新する。なお、このチャプタ情報とはコンテンツをチャプタ分割した位置を示す情報のことである。
【００４４】
記録再生装置１０の再生停止処理における動作例について説明する。ユーザは、リモコン操作や本体ボタン操作などにより、入力部１７に再生停止の制御信号を入力する。その制御信号は制御部１５に送られ、制御部１５はデコード部１６に再生停止指示を行う。デコード部１６は、記録部１３からの１２セグコンテンツ１３２ａの復号処理を停止し、このときの停止位置に基づいて管理情報１３２ｂに含まれるレジューム情報を更新する。なお、レジューム情報とはコンテンツの再生停止位置を示す情報のことである。
【００４５】
制御部１５は、１セグコンテンツ１３１ａを携帯端末２０にムーブする前に、１２セグコンテンツ１３２ａが再生停止あるいは編集された場合、１セグコンテンツ１３１ａの管理情報１３１ｂと、１２セグコンテンツ１３２ａの管理情報１３２ｂとを同時に更新するようにしてもよい。また、別の方法として、１２セグコンテンツ１３２ａの管理情報１３２ｂを先に更新し、この管理情報１３２ｂに従って、１セグコンテンツ１３１ａの管理情報１３１ｂを更新するようにしてもよい。
【００４６】
これにより、１セグコンテンツ１３１ａ及び管理情報１３１ｂを携帯端末２０にムーブし、携帯端末２０を持ち出して外出先で１セグコンテンツ１３１ａを視聴するときに、記録再生装置１０のレジューム情報が反映されているため、記録再生装置１０（ＴＶ４０）で視聴していた続きからスムーズに視聴することができる。また、記録再生装置１０（ＴＶ４０）で視聴した１２セグコンテンツ１３２ａを編集して、プレイリストとして名場面集などを作成した場合でも、記録再生装置１０のチャプタ情報が反映されているため、携帯端末２０でプレイリストを作り直す必要がない。
【００４７】
図３は、図１に示した携帯端末２０の内部構成例を示すブロック図で、携帯端末２０は、入力部２１、制御部２２、入出力Ｉ／Ｆ２３、記録部２４、デコード部２５、及び表示部２６を備えている。携帯端末２０は、入出力Ｉ／Ｆ２３を介して記録再生装置１０と接続され、記録再生装置１０からムーブされた１セグコンテンツ１３１ａ及びその管理情報１３１ｂを記録部２４に記録する。記録部２４は、ハードディスク、光ディスク（ＤＶＤなど）、メモリカードなどの内蔵あるいは外部接続可能な記録媒体である。なお、図１に示した専用スタンド３０の記載を省略しているが、携帯端末２０が専用スタンド３０にセットされると、入出力Ｉ／Ｆ２３と記録再生装置１０の入出力Ｉ／Ｆ１４とが接続され、記録再生装置１０と通信可能な状態となる。
【００４８】
次に、携帯端末２０の再生処理における動作例について説明する。
ユーザは、本体ボタン操作などにより、所望の１セグコンテンツを再生するための制御信号を入力部２１に入力すると、その制御信号は制御部２２に送られる。制御部２２は、入力部２１からの制御信号に従って、デコード部２５を制御して１セグコンテンツ１３１ａの再生を行う。デコード部２５は、ＭＰＥＧ−４（またはＨ．２６４）形式で圧縮された１セグコンテンツ１３１ａを復号して元の映像信号と音声信号に復元する。
【００４９】
また、１セグコンテンツ１３１ａを再生する際に、制御部２２により管理情報１３１ｂに含まれるレジューム情報やチャプタ情報などが参照され、この管理情報１３１ｂに従って１セグコンテンツ１３１ａが再生される。表示部２６は、例えば、２４０×３２０ドットなどの比較的解像度の低い液晶ディスプレイなどの表示手段であって、デコード部２５で復号された１セグコンテンツ１３１ａを表示出力する。
【００５０】
図４は、コンテンツの管理情報の一例を示す図である。管理情報は、例えば、コンテンツＩＤ、チャンネル名、番組名、放送時刻、録画時間、情報更新時刻、関連コンテンツＩＤ、レジューム情報（時間）、チャプタ情報（チャプタ数、チャプタ時間１〜Ｎ）などを含む。受信部１１で受信した地上波デジタル放送信号の１２セグコンテンツ１３２ａの場合、その管理情報１３２ｂには１２セグコンテンツ１３２ａのＩＤがコンテンツＩＤとして記録され、１セグコンテンツ１３１ａのＩＤが関連コンテンツＩＤとして記録される。また、１セグコンテンツ１３１ａの場合、その管理情報１３１ｂには１セグコンテンツ１３１ａのＩＤがコンテンツＩＤとして記録され、１２セグコンテンツ１３２ａのＩＤが関連コンテンツＩＤとして記録される。
【００５１】
このように関連付けすることにより、記録再生装置１０と携帯端末２０が接続されたときに、２つのコンテンツ（１２セグコンテンツ１３２ａと１セグコンテンツ１３１ａ）のいずれか一方の管理情報によって、他方のコンテンツの管理情報を特定して更新することが可能となる。この際、どちらのコンテンツの管理情報を更新させるかは、その都度ユーザにより設定可能としてもよいし、デフォルトでどちらかに設定しておいてもよい。
【００５２】
例えば、外出先等において、携帯端末２０で視聴していた１セグコンテンツ１３１ａを途中で再生停止し、その続きから記録再生装置１０（ＴＶ４０）の１２セグコンテンツ１３２ａを視聴しようとした場合、記録再生装置１０の制御部１５は、携帯端末２０が接続されたときに、携帯端末２０から１セグコンテンツ１３１ａの管理情報１３１ｂを取得し、取得した管理情報１３１ｂによって１２セグコンテンツ１３２ａの管理情報１３２ｂを更新する。これにより、ＴＶ４０において、１セグコンテンツ１３１ａの再生停止位置から１２セグコンテンツ１３２ａの再生を開始することができる。
【００５３】
また、逆に、家庭等において、記録再生装置１０（ＴＶ４０）で視聴していた１２セグコンテンツ１３２ａを途中で再生停止し、その続きから携帯端末２０の１セグコンテンツ１３１ａを視聴しようとした場合、携帯端末２０の制御部２２は、記録再生装置１０が接続されたときに、記録再生装置１０から１２セグコンテンツ１３２ａの管理情報１３２ｂを取得し、取得した管理情報１３２ｂによって１セグコンテンツ１３１ａの管理情報１３１ｂを更新するようにしてもよい。これにより、携帯端末２０において、１２セグコンテンツ１３２ａの再生停止位置から１セグコンテンツ１３１ａの再生を開始することができる。
【００５４】
また、記録再生装置１０は、電子番組表（ＥＰＧ）を取得する手段を備え、そのＥＰＧを、ユーザからの操作に従ってＴＶ４０の画面に表示させるようにしてもよい。このＥＰＧは、所定期間分の放送番組を一覧にしたもので、放送事業者等から定期的に送信されており、所定のチャンネルを選局することにより取得（受信）することができる。記録再生装置１０は、自身が取得したＥＰＧを所定期間毎に更新し、常に最新のものを保持するようにしている。
【００５５】
記録再生装置１０は、携帯端末２０が接続されると、自身のＥＰＧを携帯端末２０に送信する。このとき、記録再生装置１０は、自身のＥＰＧと、携帯端末２０側に既に保持されているＥＰＧのどちらが新しいかを判定し、記録再生装置１０のＥＰＧの方が新しければ、当該ＥＰＧを送信し、携帯端末２０のＥＰＧを更新する。一方、両者が同じものであれば、更新する必要がないため、携帯端末２０のＥＰＧはそのままとする。
【００５６】
携帯端末２０は、記録再生装置１０からのＥＰＧに基づいてコンテンツの録画予約あるいは視聴予約を行うための予約情報を生成する手段を備える。例えば、制御部２２からの制御に従って、表示部２６にＥＰＧを表示させ、ＥＰＧ上でユーザが録画予約あるいは視聴予約を行うようにしてもよい。この場合、記録再生装置１０は、携帯端末２０が接続されたときに、携帯端末２０からＥＰＧに基づく予約情報を取得し、取得した予約情報に従ってコンテンツの録画予約あるいは視聴予約を行う。
【００５７】
記録再生装置１０は、上記のように録画予約等することによって新たなコンテンツを取得し、取得したコンテンツを記録部１３に記録していく。記録再生装置１０は、携帯端末２０が接続されたときに、新たに取得された１セグコンテンツ１３１ａを記録部１３から抽出し、抽出した１セグコンテンツ１３１ａ及び管理情報１３１ｂを携帯端末２０にムーブするようにしてもよい。
【００５８】
ここで、一般に携帯端末２０のメモリ容量は小さいため、新規の１セグコンテンツ１３１ａを無作為にムーブしていくと、すぐにメモリ容量が足らなくなることが想定される。
そこで、携帯端末２０にムーブされる１セグコンテンツ１３１ａは、例えば、録画日、コンテンツのジャンル、録画時間などの予め決められた条件に合致したコンテンツとしてもよい。携帯端末２０は、記録再生装置１０からムーブされた１セグコンテンツ１３１ａ及び管理情報１３１ｂによって視聴済みあるいは不要となった１セグコンテンツを更新する。
【００５９】
また、記録再生装置１０は、携帯端末２０が接続されたときに、ユーザ指定された１セグコンテンツ１３１ａを記録部１３から抽出し、抽出した１セグコンテンツ１３１ａ及び管理情報１３１ｂを携帯端末２０にムーブするようにしてもよい。この場合、記録再生装置１０は、記録部１３に記録されている１セグコンテンツ１３１ａの一覧をＴＶ４０の画面上に表示可能とし、その一覧からユーザが指定したコンテンツをその管理情報と共に携帯端末２０にムーブする。携帯端末２０は、記録再生装置１０からムーブされた１セグコンテンツ１３１ａ及び管理情報１３１ｂによって視聴済みあるいは不要となった１セグコンテンツを更新する。
【００６０】
また、記録再生装置１０は、携帯端末向けのコンテンツを提供可能なサーバ装置とネットワークを介して接続する手段を備えるようにしてもよい。この場合、記録再生装置１０は、図示しないサーバ装置から取得されたコンテンツ及びその管理情報を記録部１３に記録し、上述の１セグコンテンツ１３１ａと同様に携帯端末２０にムーブ可能とする。
【００６１】
図５は、本発明の記録再生システムにおける１セグコンテンツのムーブ処理の一例を説明するためのフロー図である。本例は、図２に示した記録再生装置１０及び図３に示した携帯端末２０に基づいて説明する。まず、記録再生装置１０は、受信部１１で地上波デジタル放送信号を受信し（ステップＳ１）、受信したデジタル放送信号から１２セグコンテンツ１３２ａと１セグコンテンツ１３１ａを分離し、分離した各コンテンツを記録部１３に記録する（ステップＳ２）。次に、記録再生装置１０は、携帯端末２０が接続されたときに、記録部１３に記録されている１セグコンテンツ１３１ａ及びその管理情報を携帯端末２０にムーブする（ステップＳ３）。
【００６２】
図６は、本発明の記録再生システムにおけるレジューム情報の更新処理の一例を説明するためのフロー図である。本例は、図２に示した記録再生装置１０及び図３に示した携帯端末２０に基づいて説明するものとする。まず、携帯端末２０は、専用スタンドにセットされると（ステップＳ１１）、視聴途中のコンテンツの続きをＴＶ４０で再生するかどうかをユーザ指示に基づいて判断し（ステップＳ１２）、ＴＶ４０で再生しない場合（ＮＯの場合）、その他の処理へ移行する。一方、ステップＳ１２において、ＴＶ４０で再生する場合（ＹＥＳの場合）、該当するレジューム情報を含む管理情報を記録再生装置１０へ送信する（ステップＳ１３）。
【００６３】
なお、ステップＳ１２において、コンテンツの続きをＴＶ４０で再生するかどうかをユーザ指示に基づいて判断しているが、携帯端末２０が専用スタンドにセットされたことをトリガとして、記録再生装置１０へ管理情報を送信し、コンテンツの続きの自動再生を要求するようにしてもよい。
【００６４】
次に、記録再生装置１０は、携帯端末２０からの１セグコンテンツのレジューム情報に基づいて１２セグコンテンツのレジューム情報を更新し（ステップＳ１４）、更新したレジューム情報に従って１２セグコンテンツを再生する（ステップＳ１５）。
【００６５】
次に、記録再生装置１０は、１２セグコンテンツの途中で再生停止したかどうかを判断し（ステップＳ１６）、途中で再生停止した場合（ＹＥＳの場合）、１２セグコンテンツのレジューム情報を更新し（ステップＳ１７）、一方、ステップＳ１６において、途中で再生停止しない場合（ＮＯの場合）、そのまま終了する。
【００６６】
次に、記録再生装置１０は、視聴途中の１２セグコンテンツの続きを携帯端末２０で再生するかどうかをユーザ指示に基づいて判断し（ステップＳ１８）、携帯端末２０で続きを再生する場合（ＹＥＳの場合）、更新したレジューム情報を含む管理情報を携帯端末２０に送信する（ステップＳ１９）。一方、ステップＳ１８において、携帯端末２０で続きを再生しない場合（ＮＯの場合）、そのまま終了する。
【００６７】
次に、携帯端末２０は、記録再生装置１０からの１２セグコンテンツのレジューム情報に基づいて１セグコンテンツのレジューム情報を更新し（ステップＳ２０）、更新したレジューム情報に従って１セグコンテンツを再生する（ステップＳ２１）。
【００６８】
図７は、本発明の記録再生システムにおける録画予約処理の一例を説明するためのフロー図である。本例は、図２に示した記録再生装置１０及び図３に示した携帯端末２０に基づいて説明するものとする。まず、携帯端末２０は、専用スタンドにセットされると（ステップＳ３１）、録画予約を行うかどうかをユーザ指示に基づいて判断し（ステップＳ３２）、録画予約を行わない場合（ＮＯの場合）、その他の処理へ移行する。一方、ステップＳ３２において、録画予約を行う場合（ＹＥＳの場合）、ＥＰＧで予約した録画予約情報を記録再生装置１０に送信する（ステップＳ３３）。
【００６９】
なお、ステップＳ３２において、コンテンツの録画予約を行うかどうかをユーザ指示に基づいて判断しているが、携帯端末２０が専用スタンドにセットされたことをトリガとして、記録再生装置１０へコンテンツの録画予約情報を送信するようにしてもよい。
【００７０】
次に、記録再生装置１０は、携帯端末２０からの録画予約情報に従ってコンテンツの録画予約を行い（ステップＳ３４）、予約したコンテンツを録画し（ステップＳ３５）、録画したコンテンツを再生リストに登録する（ステップＳ３６）。
【００７１】
図８は、本発明の記録再生システムにおけるコンテンツ自動更新処理の一例を説明するためのフロー図である。本例は、図２に示した記録再生装置１０及び図３に示した携帯端末２０に基づいて説明するものとする。まず、携帯端末２０は、専用スタンドにセットされると（ステップＳ４１）、コンテンツを自動更新するかどうかをユーザ指示に基づいて判断し（ステップＳ４２）、コンテンツの自動更新を行わない場合（ＮＯの場合）、その他の処理へ移行する。一方、ステップＳ４２において、コンテンツの自動更新を行う場合（ＹＥＳの場合）、コンテンツの自動更新を記録再生装置１０に要求する（ステップＳ４３）。
【００７２】
なお、ステップＳ４２において、コンテンツを自動更新するかどうかをユーザ指示に基づいて判断しているが、携帯端末２０が専用スタンドにセットされたことをトリガとして、記録再生装置１０へコンテンツの自動更新を要求するようにしてもよい。
【００７３】
次に、記録再生装置１０は、再生リストから所定の条件に合致した新規の１セグコンテンツを特定し（ステップＳ４４）、ＥＰＧが更新されているかどうかを判定する（ステップＳ４５）。ＥＰＧが更新されている場合（ＹＥＳの場合）、新規の１セグコンテンツをムーブすると共に、ＥＰＧを送信する（ステップＳ４６）。一方、ステップＳ４５において、ＥＰＧが更新されていない場合（ＮＯの場合）、新規の１セグコンテンツをムーブする（ステップＳ４７）。
【００７４】
次に、携帯端末２０は、記録再生装置１０からムーブされた１セグコンテンツに基づいて視聴済みあるいは不要となったコンテンツを更新し（ステップＳ４８）、再生リストを更新する（ステップＳ４９）。
【００７５】
図９は、本発明の記録再生システムにおけるコンテンツ自動更新処理の一例を示す図で、図中、１０１は記録再生装置１０の再生リスト、２０１は携帯端末２０の再生リストを示す。記録再生装置１０は、録画したコンテンツを一覧にした再生リスト１０１を有し、この再生リスト１０１の中で、各コンテンツの状態（新規コンテンツかどうか）、タイトル、視聴時間、１セグコンテンツの有無などを管理する。また、携帯端末２０は、記録再生装置１０からムーブされたコンテンツを一覧にした再生リスト２０１を有し、この再生リスト２０１により各コンテンツの状態（新規コンテンツかどうか）、タイトル、視聴時間などを管理する。
【００７６】
図９に示す例では、記録再生装置１０は、携帯端末２０からの更新要求に従って、再生リスト１０１にあるコンテンツの中で、状態が“ＮＥＷ”で、且つ、１セグが“有”になっているコンテンツを順番に選択し、選択した１セグコンテンツを携帯端末２０にムーブし、携帯端末２０の再生リスト２０１を自動更新する。この際、コンテンツを選択する条件としては、例えば、録画日、コンテンツのジャンル、録画時間などを指定することができる。また、携帯端末２０が備えるメモリに記録可能な範囲で、１セグコンテンツを選択するようにしてもよい。
【００７７】
また、記録再生装置１０の再生リスト１０１を、ＴＶ４０の画面上に表示させ、再生リスト１０１上からユーザ選択に基づいて、ムーブさせるコンテンツを選択するようにしてもよい。また、携帯端末２０の再生リスト２０１を表示部２６あるいはＴＶ４０の画面に表示可能とし、更新の状態を確認できるようにしてもよい。ＴＶ４０の画面に再生リスト２０１を表示させる場合、再生リスト１０１と再生リスト２０１を並べて表示させるようにすれば、ユーザがコンテンツの更新状態をより確認し易くなる。
【００７８】
図１０は、本発明の記録再生システムにおける視聴予約処理の一例を説明するためのフロー図である。本例は、図２に示した記録再生装置１０及び図３に示した携帯端末２０に基づいて説明するものとする。まず、携帯端末２０は、専用スタンドにセットされると（ステップＳ５１）、視聴予約を行うかどうかをユーザ指示に基づいて判断し（ステップＳ５２）、視聴予約を行わない場合（ＮＯの場合）、その他の処理へ移行する。一方、ステップＳ５２において、視聴予約を行う場合（ＹＥＳの場合）、ＥＰＧで予約した視聴予約情報を記録再生装置１０に送信する（ステップＳ５３）。
【００７９】
なお、ステップＳ５２において、コンテンツの視聴予約を行うかどうかをユーザ指示に基づいて判断しているが、携帯端末２０が専用スタンドにセットされたことをトリガとして、記録再生装置１０へコンテンツの視聴予約情報を送信するようにしてもよい。
【００８０】
次に、記録再生装置１０は、携帯端末２０からの視聴予約情報に従ってコンテンツの視聴予約を行い（ステップＳ５４）、予約したコンテンツを受信してＴＶ４０の画面に表示する（ステップＳ５５）。
【００８１】
図１１は、本発明の記録再生システムにおけるコンテンツ購入処理の一例を説明するためのフロー図である。まず、携帯端末２０は、専用スタンドにセットされると（ステップＳ６１）、取得コンテンツリストに従って操作するかどうかをユーザ指示に基づいて判断し（ステップＳ６２）、取得コンテンツリストによる操作を行わない場合（ＮＯの場合）、その他の処理へ移行する。一方、ステップＳ６２において、取得コンテンツリストによる操作を行う場合（ＹＥＳの場合）、操作情報を記録再生装置１０に送信する（ステップＳ６３）。
【００８２】
ステップＳ６２における取得コンテンツリストとは、後述の図１２に示すように、コンテンツの購入、入替、削除などを行うためのものである。携帯端末２０は、記録再生装置１０に記録されている全てのコンテンツのメタデータ（タイトルなど）を保持しておき、上記取得コンテンツリストに基づいてコンテンツの購入、入替、削除などを行うことができる。
【００８３】
なお、ステップＳ６２において、取得コンテンツリストによる操作を行うかどうかをユーザ指示に基づいて判断しているが、携帯端末２０が専用スタンドにセットされたことをトリガとして、記録再生装置１０へ操作情報を送信し、取得コンテンツリストによる操作を要求するようにしてもよい。
【００８４】
次に、記録再生装置１０は、携帯端末２０からの操作情報に従ってコンテンツの購入などの処理を行い（ステップＳ６４）、新規に取得したコンテンツあるいは入替指示されたコンテンツを携帯端末２０にムーブする（ステップＳ６５）。
【００８５】
次に、携帯端末２０は、記録再生装置１０からムーブされた１セグコンテンツに基づいて視聴済みあるいは不要となったコンテンツを更新し（ステップＳ６６）、再生リストを更新する（ステップＳ６７）。
【００８６】
図１２は、本発明の記録再生システムにおけるコンテンツ購入処理の一例を示す図で、図中、１０２は記録再生装置１０の個人ライブラリ、２０２は携帯端末２０の取得コンテンツリストを示す。個人ライブラリ１０２は記録再生装置１０の記録部１３に記録され、取得コンテンツリスト２０２は携帯端末２０の記録部２４に記録される。本例における記録再生装置１０は、コンテンツの記録再生機能を備えたパーソナルコンピュータ（ＰＣ）であって、インターネット２を介してサーバ装置３と接続される。このサーバ装置３は、有料でコンテンツを提供可能なコンテンツ配信サーバである。
【００８７】
携帯端末２０は、取得コンテンツリスト２０２に基づいて、記録再生装置１０に対して、コンテンツの入替、購入、削除などを要求することができる。ここで、携帯端末２０にＸＭＤＦ（モバイル・ドキュメント・フォーマット）ブラウザ機能を備えるようにしてもよく、これにより購入可能なコンテンツを表示させながら、その場で購入するコンテンツを決めることができる。なお、上記ＸＭＤＦとは、携帯端末向けに開発された電子書籍用のデータフォーマットである。
【００８８】
携帯端末２０は、例えば、新規コンテンツを購入する場合、記録再生装置１０に対して、取得コンテンツリスト２０２に基づいて、購入するコンテンツを指定した購入依頼を送信する。記録再生装置１０は、インターネット２を介してサーバ装置３に接続し、サーバ装置３から指定のコンテンツをダウンロードして個人ライブラリ１０２に登録する。
【００８９】
また、携帯端末２０は、記録部２４に記録されているコンテンツの入替を行う場合、記録再生装置１０に対して、取得コンテンツリスト２０２に基づいて、入れ替えるコンテンツを指定した入替依頼を送信する。記録再生装置１０は、個人ライブラリ１０２から指定のコンテンツを抽出して携帯端末２０にムーブする。携帯端末２０は、記録再生装置１０からムーブされたコンテンツを、視聴済みあるいは不要となった番組などのコンテンツ（以下、視聴済みコンテンツ）と入れ替えて、この視聴済みコンテンツを記録部２４から記録再生装置１０にムーブして取得コンテンツリスト２０２から削除する。なお、視聴済みコンテンツを記録再生装置１０に戻さずに記録部２４から単に削除するようにしてもよい。
【００９０】
以上説明したように、本発明によれば、デジタル放送の受信機能を備えた記録再生装置において、デジタル放送に含まれる１セグメント放送（携帯端末向け放送）のコンテンツと１２セグメント放送（ハイビジョン放送など）のコンテンツを同時に記録し、１セグメント放送のコンテンツ及びその管理情報を携帯端末にムーブできるため、コピーワンスの制限に係らず、記録再生装置上にコンテンツを残したまま携帯端末で同じコンテンツを視聴することができる。また、トランスコードする必要がないため短時間でコンテンツを転送することができる。
【００９１】
また、記録再生装置に記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を実現できる。例えば、番組の途中まで携帯端末で視聴していて、その続きを記録再生装置に接続されたテレビで視聴する場合、テレビ（記録再生装置）側では、携帯端末で視聴を止めたところから頭出し再生することができる。
【図面の簡単な説明】
【００９２】
【図１】本発明の一実施形態に係わる記録再生システムの構成例を示す図である。
【図２】図１に示した記録再生装置の内部構成例を示すブロック図である。
【図３】図１に示した携帯端末の内部構成例を示すブロック図である。
【図４】コンテンツの管理情報の一例を示す図である。
【図５】本発明の記録再生システムにおける１セグコンテンツのムーブ処理の一例を説明するためのフロー図である。
【図６】本発明の記録再生システムにおけるレジューム情報の更新処理の一例を説明するためのフロー図である。
【図７】本発明の記録再生システムにおける録画予約処理の一例を説明するためのフロー図である。
【図８】本発明の記録再生システムにおけるコンテンツ自動更新処理の一例を説明するためのフロー図である。
【図９】本発明の記録再生システムにおけるコンテンツ自動更新処理の一例を示す図である。
【図１０】本発明の記録再生システムにおける視聴予約処理の一例を説明するためのフロー図である。
【図１１】本発明の記録再生システムにおけるコンテンツ購入処理の一例を説明するためのフロー図である。
【図１２】本発明の記録再生システムにおけるコンテンツ購入処理の一例を示す図である。
【図１３】特許文献１に記載の地上波デジタル放送サービスの概要を説明するための図である。
【符号の説明】
【００９３】
１…ケーブル、２…インターネット、３…サーバ装置、１０…記録再生装置、１１…受信部、１２…セグメント分離部、１３，２４…記録部、１４，２３…入出力Ｉ／Ｆ、１５，２２…制御部、１６，２５…デコード部、１７，２１…入力部、１８…出力部、２０，３０３…携帯端末、２６…表示部、３０…専用スタンド、４０，３０２…テレビジョン放送受信装置（ＴＶ）、１３１，１３２…記録領域、１３１ａ…１セグコンテンツ、１３２ａ…１２セグコンテンツ、１３１ｂ，１３２ｂ…管理情報、３００…１チャンネル分の地上波デジタル放送信号、３０１…地上波デジタル放送用送信アンテナ。
【図１】
2007251803.tif 000003
【図２】
2007251803.tif 000004
【図３】
2007251803.tif 000005
【図４】
2007251803.tif 000006
【図５】
2007251803.tif 000007
【図６】
2007251803.tif 000008
【図７】
2007251803.tif 000009
【図８】
2007251803.tif 000010
【図９】
2007251803.tif 000011
【図１０】
2007251803.tif 000012
【図１１】
2007251803.tif 000013
【図１２】
2007251803.tif 000014
【図１３】
2007251803.tif 000015